(57)【要約】      （修正有）【課題】  撮影の際の操作性を向上させること。【解決手段】  照射された放射線を検出して画像情報を取得するカセッテ型放射線画像検出器５であって、動作状態として、放射線の検出が可能な撮影可能状態と、前記撮影可能状態より消費電力量の少なく、かつ消費電力量が異なる複数の撮影待機状態とを有し、前記動作状態のうち、いずれの動作状態にあるかを表示する報知部２５を備える。【選択図】図２
2006208313.tif 000002
【特許請求の範囲】
【請求項１】
照射された放射線を検出して画像情報を取得するカセッテ型放射線画像検出器であって、
動作状態として、放射線の検出が可能な撮影可能状態と、前記撮影可能状態より消費電力量の少なく、かつ消費電力量が異なる複数の撮影待機状態とを有し、
前記動作状態のうち、いずれの動作状態にあるかを表示する報知部を備えることを特徴とするカセッテ型放射線画像検出器。
【請求項２】
前記報知部が、放射線が照射される面と、前記放射線が照射される面と反対側の面とを除いた面に設けられることを特徴とする請求項１に記載のカセッテ型放射線画像検出器。
【請求項３】
請求項１又は請求項２に記載のカセッテ型放射線画像検出器と、前記カセッテ型放射線画像検出器を制御するコンソールとを備えることを特徴とする放射線画像撮影システム。
【請求項４】
前記コンソールは、前記カセッテ型放射線画像検出器が前記動作状態のうち、いずれの動作状態にあるかを表示する表示部を備えることを特徴とする請求項３に記載の放射線画像撮影システム。
【請求項５】
複数の前記カセッテ型放射線画像検出器を備え、前記表示部は、前記複数のカセッテ型放射線画像検出器の動作状態を表示することを特徴とする請求項４に記載の放射線画像撮影システム。
【請求項６】
複数の前記カセッテ型放射線画像検出器を備え、前記複数のカセッテ型放射線画像検出器の動作状態を表示する専用コントローラを備えることを特徴とする請求項３又は請求項４に記載の放射線画像撮影システム。
【発明の詳細な説明】
【技術分野】
【０００１】
本発明は、放射線画像検出器及び放射線画像撮影システムに係り、特に、Ｘ線画像に代表される放射線画像を撮影するための放射線画像検出器及び放射線画像撮影システムに関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し、放射線を検出して電気エネルギーに変換し、放射線画像情報として検出するＦＰＤ（Flat Panel Detector：放射線画像検出装置）を用いた放射線画像撮影装置が提案されている。
【０００３】
近年、ＦＰＤの運搬性・取扱い性の向上を目的として当該ＦＰＤをカセッテに収容したカセッテ型ＦＰＤも開発されている（例えば、特許文献１及び特許文献２参照）。特にカセッテ型ＦＰＤの搬送性を活かすために、カセッテ型ＦＰＤを制御するコンソールに無線で通信するカセッテ型ＦＰＤが提案されている。
【特許文献１】特開平６−３４２０９９号公報
【特許文献２】特開２００４−１８０９３１号公報
【発明の開示】
【発明が解決しようとする課題】
【０００４】
ところで、従来のＦＰＤでは、撮影された放射線画像情報をコンソールに表示させるものはあっても、その動作状態を表示させる構成のものがなく、撮影に使用するＦＰＤが撮影に使用できる状態にあるのか、その動作状態を確認することができなかった。
そのため、操作者である放射線技師は、撮影室毎に撮影室内に配されたＦＰＤを用いて順に撮影を行っており、ＦＰＤが破損した場合等、他の撮影室内にある撮影に使用されていないＦＰＤを代用して引き続き撮影作業を進める場合に、他の撮影室内に使用されていないＦＰＤが存在していても、放射線技師はその存在を把握することができず、代用するＦＰＤを探し出す作業は非常に困難な作業であり、効率よく撮影作業を進めることができなかった。これは、患者にとっても非常に不便なことであり、また、もし、正常に稼動しないＦＰＤを使用して撮影が行われてしまった場合には、再撮影が強いられ、不要な被曝を高じてしまう。
【０００５】
本発明の課題は、撮影の際の操作性を向上させることである。
【課題を解決するための手段】
【０００６】
請求項１記載の発明は、
照射された放射線を検出して画像情報を取得するカセッテ型放射線画像検出器であって、
動作状態として、放射線の検出が可能な撮影可能状態と、前記撮影可能状態より消費電力量の少なく、かつ消費電力量が異なる複数の撮影待機状態とを有し、
前記動作状態のうち、いずれの動作状態にあるかを表示する報知部を備えることを特徴とする。
【０００７】
請求項１記載の発明によれば、照射された放射線を検出して画像情報を取得するカセッテ型放射線画像検出器であって、
動作状態として、放射線の検出が可能な撮影可能状態と、前記撮影可能状態より消費電力量の少なく、かつ消費電力量が異なる複数の撮影待機状態とを有し、
前記動作状態のうち、いずれの動作状態にあるかを表示する報知部を備えるので、表示部はカセッテ型放射線画像検出器の動作状態を表示させることができる。
【０００８】
請求項２記載の発明は、請求項１記載のカセッテ型放射線画像検出器において、
前記報知部が、放射線が照射される面と、前記放射線が照射される面と反対側の面とを除いた面に設けられることを特徴とする。
【０００９】
請求項２記載の発明によれば、前記報知部が、放射線が照射される面と、前記放射線が照射される面と反対側の面とを除いた面に設けられている。カセッテ型放射線画像検出器の表面のうち、放射線による影響を受けやすい表面は、放射線が照射される面及び前記放射線が照射される面と反対側の面であり、この面に表示部を設けないことで、表示部を放射線による影響を受けにくくすることができる。
【００１０】
請求項３記載の発明は、請求項１又は請求項２に記載のカセッテ型放射線画像検出器と、前記カセッテ型放射線画像検出器を制御するコンソールとを備える放射線画像撮影システムであることを特徴とする。
【００１１】
請求項３記載の発明によれば、請求項１又は請求項２に記載のカセッテ型放射線画像検出器と、前記カセッテ型放射線画像検出器を制御するコンソールとを備える放射線画像撮影システムであるので、コンソールにより請求項１又は請求項２に記載のカセッテ型放射線画像検出器を制御し、放射線画像情報を得る放射線画像撮影システムを構築することができる。
【００１２】
請求項４記載の発明は、請求項３記載の放射線画像撮影システムにおいて、
前記コンソールは、前記動作状態のうち、いずれの動作状態にあるかを表示する表示部を備えることを特徴とする。
【００１３】
請求項４記載の発明によれば、前記コンソールは、前記動作状態のうち、いずれの動作状態にあるかを表示する表示部を備えるので、コンソール上にカセッテ型放射線画像検出器の動作状態を表示させることができる。
【００１４】
請求項５記載の発明は、請求項４に記載の放射線画像撮影システムにおいて、
複数の前記カセッテ型放射線画像検出器を備え、前記表示部は、前記複数のカセッテ型放射線画像検出器の動作状態を表示することを特徴とする。
【００１５】
請求項５記載の発明によれば、複数の前記カセッテ型放射線画像検出器を備え、前記表示部は、前記複数のカセッテ型放射線画像検出器の動作状態を表示するので、コンソール上で複数のカセッテ型放射線画像検出器の動作状態を表示させることができる。
【００１６】
請求項６記載の発明は、請求項３又は請求項４に記載の放射線画像撮影システムにおいて、
複数の前記カセッテ型放射線画像検出器を備えており、前記複数のカセッテ型放射線画像検出器の動作状態を表示する専用コントローラを備えることを特徴とする。
【００１７】
請求項６記載の発明によれば、複数の前記カセッテ型放射線画像検出器を備えており、前記複数のカセッテ型放射線画像検出器の動作状態を表示する専用コントローラを備えるので、専用コントローラ上で、複数のカセッテ型放射線画像検出器の動作状態を表示させることができる。
【発明の効果】
【００１８】
請求項１記載の発明によれば、表示部はカセッテ型放射線画像検出器の動作状態を表示させることができるので、操作者はカセッテ型放射線画像検出器の動作状態を知ることができ、その放射線画像検出器がすぐに撮影に使用できる状態にあるかを即座に確認することができるので、撮影の際の操作性を向上させることができる。
【００１９】
請求項２記載の発明によれば、カセッテ型放射線画像検出器の表示部を放射線による影響を受けにくくすることができるので、表示部に放射線が照射されて劣化するのを防ぐことができる。
【００２０】
請求項３記載の発明によれば、コンソールにより請求項１又は請求項２に記載のカセッテ型放射線画像検出器を制御し、放射線画像情報を得る放射線画像撮影システムを構築することができるので、放射線画像検出器に自身の動作状態を表示させ、撮影の際の操作性を向上させることができる放射線画像撮影システムとすることができる。
【００２１】
請求項４記載の発明によれば、コンソール上にカセッテ型放射線画像検出器の動作状態を表示させることができるので、操作者は、カセッテ型放射線画像検出器の動作状態をコンソール上で知ることができ、撮影の際の操作性を向上させることができる。
【００２２】
請求項５記載の発明によれば、コンソール上で複数のカセッテ型放射線画像検出器の動作状態を表示させることができるので、操作者はコンソール上で複数のカセッテ型放射線画像検出器の動作状態を知ることができ、その複数の放射線画像検出器のうち、どの放射線画像検出器がすぐに撮影に使用できる状態にあるかを即座に確認することができるので、撮影の際の操作性を向上させることができる。
【００２３】
請求項６記載の発明によれば、専用コントローラ上で、複数のカセッテ型放射線画像検出器の動作状態を表示させることができるので、操作者は専用コントローラ上で複数のカセッテ型放射線画像検出器の動作状態を知ることができ、その複数の放射線画像検出器のうち、どの放射線画像検出器がすぐに撮影に使用できる状態にあるかを即座に確認することができるので、撮影の際の操作性を向上させることができる。
【発明を実施するための最良の形態】
【００２４】
以下、本発明の実施の形態を、図１から図７を参照して説明する。ただし、本発明は図示例のものに限定されるものではない。
【００２５】
図１は、本発明に係る放射線画像検出器を適用した放射線画像撮影システムの一実施形態の概略構成を示す図である。
【００２６】
本実施形態による放射線画像撮影システム１は、例えば、病院内で行われる放射線画像撮影において適用されるシステムであり、図１に示すように、撮影や患者に関する各種の情報等を管理するサーバ２と、放射線画像撮影に関する操作を行う放射線照射操作装置３と、例えば無線ＬＡＮ（Local Area Network）等の無線通信方式による通信を行うための基地局４と、放射線画像検出器５を制御するとともに放射線画像検出器５により検出された放射線画像の画像処理等を行うコンソール６とがネットワーク７を通じて接続されている。放射線照射操作装置３にはケーブル８を介して、被写体９である患者に放射線を照射して放射線画像の撮影を行う放射線照射装置１０が接続されている。放射線照射装置１０及び放射線画像検出器５は、例えば１つの撮影室１１内に１つのずつ設置されており、放射線照射操作装置３によって放射線照射装置１０を操作し放射線画像検出器５によって放射線画像を検出することによって放射線画像情報を得ることができるようになっている。なお、１つの撮影室１１に複数の放射線画像検出器５が備えられていてもよい。
【００２７】
ここで、ネットワーク７は、当該システム専用の通信回線であっても良いが、システム構成の自由度が低くなってしまう等の理由のため、イーサネット（Ethernet；登録商標）等の既存の回線である方が好ましい。なお、ネットワーク７には、他の撮影室４０の２つのカセッテ型放射線画像検出器４１，４２や、放射線照射操作装置、コンソール（いずれも図示せず）が基地局４３を介して接続されている。
【００２８】
放射線照射操作装置３は、操作パネル等から構成され放射線照射装置１０を操作する、例えば撮影条件などの信号を入力する入力操作部、撮影条件等の情報や各種の指示等を表示する表示部、及び放射線照射装置１０に対して電力を供給する電源部等（いずれも図示せず）を備えて構成されている。
【００２９】
放射線照射装置１０は、撮影室１１の内部に配置され、放射線源１２を有しており、この放射線源１２に管電圧が印加されることによって放射線が発生するようになっている。放射線源１２としては、例えば、放射線管が用いられ、放射線管は熱励起によって生ずる電子を高電圧で加速して陰極に衝突させることで、放射線を発生するようになっている。
【００３０】
放射線画像検出器５は、放射線照射装置１０の放射線源１２から照射されて被写体９を透過した放射線を検出して放射線画像を取得するものであり、撮影を行う際に放射線源１２から照射される放射線の照射範囲に配置されるようになっている。なお、放射線画像検出器５は、本実施形態では、被写体９と被写体９を載置する寝台１３との間に配置されているが、放射線画像検出器５を配置する位置はこれに限定されず、例えば、寝台の下方に放射線画像検出器５を装着する検出器装着口（図示しない）を設けて、この検出器装着口に放射線画像検出器５が装着されるようにしてもよい。
【００３１】
放射線画像検出器５は、カセッテ型のフラットパネルディティクタである放射線画像検出器である。以下、図２から図５を用いて、放射線画像検出器５の構造について説明する。
【００３２】
図２に示すように、放射線画像検出器５は、内部を保護する筐体１４を備えており、カセッテとして携帯可能に構成されている。
【００３３】
筐体１４の内部には、照射された放射線を電気信号に変換する撮像パネル１５が層を成して形成されている。撮像パネル１５における放射線の照射面側には、入射された放射線の強度に応じて発光を行う発光層（図示せず）が設けられている。
【００３４】
発光層は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力するようになっている。
【００３５】
この発光層で用いられる蛍光体は、例えば、ＣａＷＯ4等を母体とするものや、ＣｓＩ：ＴｌやＧｄ2Ｏ2Ｓ：Ｔｂ、ＺｎＳ：Ａｇ等の母体内に発光中心物質が付活されたものを用いることができる。また、希土類元素をＭとしたとき、（Ｇｄ，Ｍ，Ｅｕ）2Ｏ3の一般式で示される蛍光体を用いることができる。特に、放射線吸収及び発光効率が高いことよりＣｓＩ：ＴｌやＧｄ2Ｏ2Ｓ：Ｔｂが好ましく、これらを用いることで、ノイズの低い高画質の画像を得ることができる。
【００３６】
この発光層の放射線が照射される側の面と反対側の面には、発光層から出力された電磁波（光）を電気エネルギーに変換して蓄積し、蓄積された電気エネルギーに基づく画像信号の出力を行う信号検出部２３２が形成されている。
【００３７】
ここで、撮像パネル１５の回路構成について説明する。図３は、信号検出部２３２を構成する１画素分の光電変換部の等価回路図である。
【００３８】
図３に示すように、１画素分の光電変換部の構成は、フォトダイオード２３３と、フォトダイオード２３３で蓄積された電気エネルギーをスイッチングにより電気信号として取り出す薄膜トランジスタ（以下ＴＦＴ２３４）とから構成されている。取り出された電気信号は、増幅器２３８により信号読出し回路１７が検出可能なレベルにまで電気信号を増幅するようになっている。なお、増幅器２３８には、ＴＦＴ２３４とコンデンサで構成された図示しないリセット回路が接続されており、ＴＦＴ２３４にスイッチを入れることにより蓄積された電気信号をリセットするリセット動作が行われるようになっている。また、フォトダイオード２３３は、単に規制キャパシタンスを有したフォトダイオードでもよいし、フォトダイオード２３３と光電変換部のダイナミックレンジを改良するように追加コンデンサを並列に含んでいるものでもよい。
【００３９】
図４は、このような光電変換部を二次元に配列した等価回路図であり、画素間には、走査線Ｌｌと信号線Ｌｒが直交するように配設されている。前述のフォトダイオード２３３には、ＴＦＴ２３４が接続されており、ＴＦＴ２３４が接続されている側のフォトダイオード２３３の一端は信号線Ｌｒに接続されている。一方、フォトダイオード２３３の他端は、各行に配された隣接するフォトダイオード２３３の一端と接続されて共通のバイアス線Ｌｂを通じてバイアス電源２３９に接続されている。このバイアス電源２３９の一端は制御部２７に接続され、制御部２７からの指示によりバイアス線Ｌｂを通じてフォトダイオード２３３に電圧がかかるようになっている。また各行に配されたＴＦＴ２３４は、共通の走査線Ｌｌに接続されており、走査線Ｌｌは走査駆動回路１６を介して制御部２７に接続されている。同様に、各列に配されたフォトダイオード２３３は、共通の信号線Ｌｒに接続されて制御部２７に制御される信号読出し回路１７に接続されている。信号読出し回路１７には、撮像パネル２３から近い順に、増幅器２３８、サンプルホールド回路２４０、アナログマルチプレクサ２４１、Ａ／Ｄ変換機２４２が共通の信号線Ｌｒ上に配されている。
なお、ＴＦＴ２３４は、液晶ディスプレイ等に使用されている無機半導体系のもの、有機半導体を用いたもののいずれであってもよい。
また、本実施形態では光電変換素子としてのフォトダイオード２３３を用いた場合を例示したが、光電変換素子はフォトダイオード以外の固体撮像素子を用いてもよい。
【００４０】
この信号検出部２３２の側部には、図２に示すように各光電変換素子にパルスを送って当該各光電変換素子を走査・駆動させる走査駆動回路１６と、各光電変換素子に蓄積された電気エネルギーを読み出す信号読出し回路１７とが配されている。
【００４１】
また、図２及び図５に示すように放射線画像検出器５は、フラッシュメモリやＲＡＭなどの書き換え可能な読み出し専用メモリからなる画像記憶部１８を備えており、画像記憶部１８は、撮像パネル１５から出力された画像信号を記憶するようになっている。画像記憶部１８は内蔵型のメモリでもよいし、メモリカード等の着脱可能なメモリでもよい。
【００４２】
また、放射線画像検出器５には、放射線画像検出器５を構成する複数の駆動部（走査駆動回路１６、信号読出し回路１７、画像記憶部１８、通信部２４（後述）、インジケータ２５（後述）、入力操作部２６（後述）、撮像パネル１５など）に電力を供給する電力供給源として内蔵電源１９が設けられている。内蔵電源１９は、例えばマンガン電池、アルカリ電池、アルカリボタン電池、リチウム電池、酸化銀電池、空気亜鉛電池、ニッケル・カドミウム電池、水銀電池、鉛電池等の電池や、例えばニカド電池、ニッケル水素電池、リチウムイオン電池、小型シール鉛電池、鉛蓄電池、燃料電池、太陽電池等の充電自在な充電池から構成されている。
【００４３】
筐体１４の一端には充電用の端子２２が形成されており、例えば、図１に示すように、放射線画像検出器５をクレードル等の充電用装置２３に装着することによって充電用装置２３側の端子（図示せず）と筐体側の端子２２とが接続されて内蔵電源１９の充電が行われるようになっている。また、内蔵電源１９は、例えば、筐体１４の側部から引き出すことにより交換可能となっている。
【００４４】
また、放射線画像検出器５には、コンソール６等の外部装置との間で各種信号の送受信を行う通信部２４（図５参照）が設けられている。通信部２４は、例えば、撮像パネル１５から出力された画像信号をコンソール６に転送したり、コンソール６等から送信される撮影予約指示信号、撮影指示信号、待機指示信号等を受信するようになっている。
【００４５】
また、筐体１４表面のうち、放射線の照射される面とその反対側の面を除いた表面一端には、後述する放射線画像検出器５の動作状態や内蔵電源１９の充電状況等、放射線画像検出器５の各駆動部の動作状況を表示して報知するインジケータ（報知部）２５が設けられており、操作者が放射線画像検出器５の動作状態等を目視にて確認することができるようになっている。
なお、インジケータ２５はこのような位置に配設されることにより、放射線による影響を受けにくくすることができ、インジケータ２５に放射線が照射されて劣化するのを防ぐことができるようになっている。また、放射線画像検出器５は、放射線が照射される面に、他の放射線画像検出器の放射線が照射される面又はその反対側の面を重ねて保管されることが多いので、このような位置に配設することにより、保管時に容易に各放射線画像検出器の動作状態等を見分けることが可能である。
【００４６】
ここで、放射線画像検出器５の動作状態について説明する。
放射線画像検出器５の動作状態としては、撮影動作を行うことができる撮影可能状態と、撮影可能状態よりも消費電力が少ない撮影待機状態とがある。
【００４７】
撮影可能状態は、撮影動作を行うにあたって必要な駆動部に電力が供給されている状態であり、少なくとも放射線を検出するのに必要な駆動部に電力が供給されている状態である。例えば走査駆動回路１６、信号読出し回路１７、フォトダイオード２３３、ＴＦＴ２３４、画像記憶部１８、通信部２４といったといった駆動部に対して電力が供給されている状態であり、一連の撮影動作である画像情報の初期化、照射された放射線に応じて生成された電気エネルギーの蓄積、電気信号の読み取り、及び画像信号の転送等の各動作を行なうことが可能となっている。なお、初期化では、撮像パネル１５におけるリセット動作及び空読み動作が行われるようになっている。
【００４８】
本実施形態においては、撮影待機状態として、撮影可能状態よりも消費電力が少ない第１の撮影待機モードと、第１の撮影待機モードよりも消費電力の少ない第２の撮影待機モードとがある。
【００４９】
第１の撮影待機モードは、撮影可能状態への迅速な立ち上げが可能な信号読出し回路１７を除いた駆動部に電力が供給されている状態であり、すぐに撮影を行うことが可能な状態にある撮影待機状態である。具体的には、走査駆動回路１６、フォトダイオード２３３、ＴＦＴ２３４、画像記憶部１８、通信部２４、インジケータ２５といった各部に対して電力が供給されている状態となる。一方、第２の撮影待機モードは、撮影待機時において最低限の駆動部、例えば通信部に対して電力が供給されている状態であり、すぐに撮影を行うことができないが消費電力の非常に低い状態にある撮影待機状態である。
【００５０】
また、図５に示すように、放射線画像検出器５は、例えば、汎用のＣＰＵ、ＲＯＭ、ＲＡＭ等（いずれも図示せず）から構成された制御部２７を有する制御装置２８を備えており、制御部２７は、ＲＯＭに格納される所定のプログラムを読み出してＲＡＭの作業領域に展開し、当該プログラムに従ってＣＰＵが各種処理を実行するようになっている。
【００５１】
また、制御部２７には、通信部２４で受信された信号が入力されるようになっており、制御部２７は通信部２４で受信された信号に基づいて各駆動部の制御を行うようになっている。例えば、制御部２７では、通信部２４に撮影指示信号及び撮影予約指示信号、待機指示信号が通信部２４に受信された場合に、受信された指示信号に基づいて前述した放射線画像検出器５の動作状態の切り替えを行うようになっている。
具体的には、撮影待機状態のうち、第１の撮影待機モードにおいて、通信部２４にコンソール６からの撮影指示信号が入力された場合に第１の撮影待機モードから撮影可能状態に切り替え、コンソール６からの待機指示信号が入力された場合に第１の撮影待機モードから第２の撮影待機モードに切り替えるように構成されている。また、第２の撮影待機モードにおいて、通信部２４にコンソール６からの撮影予約指示信号が入力された場合に第２の撮影待機モードから第１の撮影待機モードに切り替えるように構成されている。
【００５２】
また、制御部２７は、インジケータ２５に前述した放射線画像検出器５の動作状態として、起動中の放射線画像検出器５が前述した動作状態のうちいずれの状態にあるか、表示させるようになっている。
【００５３】
また、制御部２７は、走査駆動回路１６を駆動させて各光電変換素子にパルスを送り当該各光電変換素子を走査・駆動させるようになっている。そして、各光電変換素子に蓄積された電気エネルギーを読み出す信号読出し回路１７によって読み出され、読み出された画像信号は制御部２７に送られるようになっている。制御部２７は送られた画像信号を画像記憶部１８に記憶させるようになっている。また、画像記憶部１８に記憶された画像信号は動作状態情報として通信部２４を介して適宜コンソール６に送られるようになっている。
【００５４】
次に、コンソール６は、図６に示すように、例えば、汎用のＣＰＵ、ＲＯＭ、ＲＡＭ等（いずれも図示せず）から構成された制御部２９を有する制御装置３０を備えており、制御部２９は、ＲＯＭに格納される所定のプログラムを読み出してＲＡＭの作業領域に展開し、当該プログラムに従ってＣＰＵが各種処理を実行するようになっている。
【００５５】
また、コンソール６は、各種の指示等を入力する入力操作部３１、画像や各種のメッセージ等を表示する表示部３２、放射線画像検出器５等の外部装置との間で各種の信号の送受信を行う通信部３３等を備えている。
【００５６】
入力操作部３１は、例えば、操作パネルやキーボードやマウス等から構成されており、操作パネル又はキーボードで押下操作されたキーの押下信号やマウスによる操作信号を入力信号として制御部２９に対して出力するようになっている。
【００５７】
表示部３２は、例えば、ＣＲＴ（Cathode Ray Tube）やＬＣＤ（Liquid Crystal Display）等を備えて構成されており、制御部２９から出力される表示信号の指示に従って、各種画面を表示するようになっている。
【００５８】
図７（ａ）に示すように、表示部３２では、これから撮影を行う患者の情報が載せられた撮影リスト４６と、撮影リスト４６から選択されて次に撮影を行う患者の情報４７（ここでは氏名及び撮影部位）と、その患者に対して撮影に使用される放射線画像検出器のＩＤ番号４８と、ネットワーク７上の放射線画像検出器の情報４９，５０，５１等がそれぞれ表示されている。なお、ネットワーク７上の放射線画像検出器の情報４９，５０，５１は、ここでは、それぞれ放射線画像検出器５，４１，４２に対応する情報であり、また、撮影リスト４６には、氏名、撮影部位、性別、備考等の情報が載せられており、さらに、予め設定しておいた撮影リストの患者の撮影に使用される放射線画像検出器のＩＤ番号が載せられていてもよい。
【００５９】
ネットワーク７上の放射線画像検出器の情報４９，５０，５１は、放射線画像検出器毎に個別に表示されている。図７（ｂ）に示すように、放射線画像検出器５の情報として、放射線画像検出器のＩＤ番号と、撮影サイズ、感度、動作状態が表示されるようになっている。ここでは、放射線画像検出器５の動作状態は、緑色と赤色の２種類のランプの点灯により区別可能になっており、緑色のランプ４４が点灯すると第１の待機モードであることを示し、赤色のランプ４５が点灯すると第２の待機モードであることを示している。なお、緑色のランプ４４及び赤色のランプ４５が点滅しているときは、点滅しているランプの色が示す動作状態へ遷移している途中（遷移中）であることを示している。なお、ネットワーク７上の他の放射線画像検出器の情報５０，５１も放射線画像検出器の情報４９と同様の情報が表示されており、放射線画像検出器５，４１，４２に対応する放射線画像検出器のＩＤ番号は、それぞれ、“ＦＰＤ１，ＦＰＤ２，ＦＰＤ３”と表示されるようになっている。
【００６０】
通信部３３は、無線ＬＡＮ等の無線通信方式により、基地局４を介して、放射線画像検出器５やサーバ２などネットワーク７上の他の外部機器との間で撮影予約指示情報や動作状態情報、放射線画像情報などの各種情報の通信を行うようになっている。
【００６１】
制御部２９には、入力操作部３１から入力された信号や通信部３３を介して外部から受信した情報が信号化されて送られるようになっており、送られた信号について所定の処理を行うようになっている。
例えば、制御部２９には放射線画像検出器５により検出された放射線画像情報が送信されるようになっており、制御部２９はこれに基づいて所定の画像処理を行うことにより、医師などが所望する放射線画像を得るようになっている。また、制御部２９は入力操作部３１で撮影予約指示及び撮影指示が入力されると、通信部３３にそれぞれ撮影予約指示信号及び撮影指示信号を送信させるようになっている。
【００６２】
また、制御部２９は放射線画像や、サムネイル画像、入力操作部３１から入力された各種の情報等を前記表示部３２に表示させるようになっており、通信部３３で受信された放射線画像検出器５の動作状態情報を前記表示部３２に表示させるようになっている。
【００６３】
次に、本実施形態に係る放射線画像検出器５を適用した放射線画像撮影システム１の作用について説明する。
【００６４】
通常、放射線画像検出器５に撮影予約指示が入力されていない状態では、消費電力を抑えるために、放射線画像検出器５の制御部２７は、第２の撮影待機モードとなるように複数の駆動部の稼動状態を制御している。そして、制御部２７は、インジケータ２５に第２の撮影待機モードである旨を表示させるとともに、通信部２４を介してコンソール６に放射線画像検出器５の動作状態情報を送信する。一方、コンソール６の制御部２９は、通信部３３を介して放射線画像検出器５の動作状態情報を受信しており、放射線画像検出器５の動作状態を表示部３２に表示、すなわち、赤色のランプ４５を点灯させる。
【００６５】
その後、コンソール６上で、操作者が入力操作部３１を介してこれから撮影を行う患者の情報４７を撮影リスト４６から選択して登録し、ネットワーク７上の放射線画像検出器の情報４９，５０，５１の中から撮影に使用する放射線画像検出器として放射線画像検出器５を選択すると、選択された放射線画像検出器５のＩＤ番号４８が表示される。そして、コンソール６の制御部２９は、通信部３３を介して撮影予約指示信号を放射線画像検出器５に送信する。
【００６６】
その後、放射線画像検出器５が、通信部２４を介して撮影予約指示信号を受信すると、制御部２７は放射線画像検出器５の動作状態を第１の撮影待機モードに切り替えるとともに、インジケータ２５に第１の撮影待機モードである旨を表示させる。
【００６７】
一方、コンソール６では、通信部３３を介して常に放射線画像検出器５の動作状態情報を受信しており、放射線画像検出器５の動作状態が第２の撮影待機モードから第１の撮影待機状態に遷移している間、制御部２９は、表示部３２に放射線画像検出器５の動作状態を表示、すなわち、緑色のランプ４４を点滅させている。その後、放射線画像検出器５の第１の撮影待機状態への切り替えが完了すると、緑色のランプ４４を点灯させる。
【００６８】
その後、患者を寝台１３にセッティングし、操作者がコンソール６の表示部３２で撮影に使用する放射線画像検出器５の緑色のランプ４４が点灯していることを確認してから、入力操作部３１で撮影指示を入力する。すると、制御部２９は通信部３３を介して撮影指示信号を送信する。
【００６９】
その後、放射線画像検出器５が、通信部２４を介して撮影指示信号を受信すると、制御部２７は放射線画像検出器５の動作状態を撮影可能状態に切り替えるとともに、インジケータ２５に撮影可能状態である旨を表示させた後、撮影動作が行われる。
【００７０】
撮影動作が終了すると、放射線画像検出器５の制御部２７は動作状態を第１の撮影待機モードに切り替え、インジケータ２５に第１の撮影待機モードである旨を表示させる。
このとき、コンソール６では、通信部３３を介して放射線画像検出器５の動作状態情報を受信しており、放射線画像検出器５の動作状態が撮影可能状態から第１の撮影待機モードに遷移している間、制御部２９は、表示部３２に放射線画像検出器５の動作状態を表示、すなわち、緑色のランプ４４を点滅させている。その後、放射線画像検出器５の第１の撮影待機モードへの切り替えが完了すると、緑色のランプ４４を点灯させる。
【００７１】
その後、放射線画像検出器５の制御部２７は、所定時間、通信部２４を介して撮影予約指示信号の受信を検知しており、その間、通信部２４に撮影予約指示が入力されると、放射線画像検出器５の動作状態を再び撮影可能状態に切り替え、撮影動作が行われる。
一方、通信部２４に撮影予約指示が入力されない場合、制御部２７は放射線画像検出器５の動作状態を第２の撮影待機モードに切り替えるとともに、インジケータ２５に第１の撮影待機モードである旨を表示させる。
【００７２】
このとき、コンソール６では、通信部３３を介して放射線画像検出器５の動作状態情報を受信しており、放射線画像検出器５の動作状態が第１の撮影待機モードから第２の撮影待機モードに遷移している間、制御部２９は、表示部３２に放射線画像検出器５の動作状態を表示、すなわち、赤色のランプ４５を点滅させている。その後、放射線画像検出器５の第２の撮影待機モードへの切り替えが完了すると、赤色のランプ４５を点灯させる。
【００７３】
以上のように本実施形態によれば、放射線画像検出器５では、自身の動作状態をインジケータ２５に表示させ、操作者は、放射線画像検出器５の動作状態を確認することができるので、操作者が放射線画像検出器５自身でその動作状態を確認することができ、撮影の際の操作性を向上させることができる。
【００７４】
その際、インジケータ２５は、放射線が照射される面とその反対側の面を除いた表面一端に設けられているので、インジケータ２５に放射線が照射されて劣化するのを防ぐことができる。
【００７５】
そして、コンソール６では、ネットワーク７上の放射線画像検出器５，４１，４２の動作状態を表示部３２に表示させ、操作者は、ネットワーク７上の放射線画像検出器５，４１，４２のうち、撮影に使用できる放射線画像検出器を一目で確認することができるので、迅速に撮影状況に適した放射線画像検出器を選出して、撮影に使用することができ、撮影の際の操作性をさらに向上させることができる。
【００７６】
そして、正常動作しないなど、撮影に使用できる状態にない放射線画像検出器を使用して間違って撮影が行われるのを防ぐことができるので、再撮影の頻度を抑え、患者に対する余分な被曝を防止することができる。
【００７７】
そして、撮影待機状態としてそれぞれ消費電力の異なる複数のモード（第１及び第２の撮影待機モード）が設けられているので、放射線画像検出器をその使用状況等に応じて最も適した状態にしておくことができ、無駄な消費電力を抑えつつ効率的な撮影作業を行うことができる。
【００７８】
特に、撮影指示が制御部２７に入力されていない場合には撮影待機状態の複数のモードうち、最も消費電力量の少ないモード（第２の撮影待機モード）となっているので、バッテリが残り僅かであるときの消費電力を極力低減することができる。
【００７９】
なお、本発明は上記実施形態に限らず適宜変更可能であるのは勿論である。
例えば、本実施形態では、１台のコンソールにネットワーク７上の放射線画像検出器５，４１，４２の動作状態を表示させて、操作者にネットワーク７上の放射線画像検出器５，４１，４２のうち、撮影に使用できる放射線画像検出器を確認させたが、ネットワーク７上の放射線画像検出器５，４１，４２の動作状態を表示させるためのＰＣ等の専用コントローラを設け、当該専用コントローラに表示させることで、操作者に確認させることも可能である。また、専用コントローラは、ネットワーク７上に配された複数のコンソールを統括するものであってもよい。あるいは、放射線画像検出器５に、入力操作部を設け、この入力操作部を操作することにより、表示部の表示画面を切り替え、ネットワーク７上の放射線画像検出器５，４１，４２の動作状態を表示させるような構成としてよい。
【００８０】
また、本実施形態では、起動中の放射線画像検出器５の動作状態を切り替えるための指示が入力される入力部として、放射線画像検出器５の通信部２４を例示して説明したが、放射線画像検出器５に入力操作部やセンサを配設し、この入力操作部やセンサを入力部とすることも可能である。入力操作部としては、機械的なスイッチが挙げられる。センサとしては、例えば、接触センサや加速度センサなどが挙げられ、クレードル等の外部機器を設けて、放射線画像検出器５の外部機器への接触及び非接触を検知したり、外部機器から放射線画像検出器５が取り外されて移動する際の放射線画像検出器５の加速度の変化を検知することにより放射線画像検出器５の動作状態を切り替える構成としてもよい。
【００８１】
また、放射線画像検出器５の動作状態の切り替え指示は、コンソール６から送信された信号による入力に限らず、放射線画像検出器５やコンソール６を制御するホストコンピュータ、放射線源１２等ネットワーク７上の他の外部機器から制御部２７に入力される構成としてもよい。
【００８２】
また、本実施形態では、撮影待機状態として２種類のモードを選択できるようにしたが、撮影待機モードはここに例示した２種類に限定されず、例えば、電力供給状態では経時的に劣化する性質をもつフォトダイオード２３３及びＴＦＴ２３４についてのみ電力供給を停止させる撮影待機モード、画像記憶部１８及び通信部２４以外に対しては全て電力供給を停止するが一旦電力供給を停止した後再度立ち上げるまでに時間のかかるフォトダイオード２３３及びＴＦＴ２３４についてのみ他の駆動部よりも早く電力の供給を開始させる撮影待機モード等、さらに複数の種類のモードを選択できるようにしてもよい。また、本実施形態に例示した２つの撮影待機モードのうちいずれか１つのみを有するようにしてもよい。
【図面の簡単な説明】
【００８３】
【図１】本発明に係る放射線画像撮影システムの一実施形態を例示する概略構成を示す図である。
【図２】本発明に係る放射線画像検出器の要部構成を示す斜視図である。
【図３】図２の放射線画像検出器に備わる光電変換層を構成する１画素分の光電変換部の等価回路図である。
【図４】図３の光電変換部を二次元に配列した等価回路図である。
【図５】本発明に係る放射線画像検出器の要部構成示すブロック図である。
【図６】図１の放射線画像撮影システムを構成するコンソールの要部構成示すブロック図である。
【図７】図７（ａ）は、図６のコンソールの概略構成を示す図であり、図７（ｂ）は、表示部で表示された表示画面のうち、特定の放射線画像検出器の情報を表示したものである。
【符号の説明】
【００８４】
１  放射線画像撮影システム
２  サーバ
３  放射線照射操作装置
４  基地局
５，４１，４２  放射線画像検出器
６  コンソール
７  ネットワーク
１０  放射線照射装置
１６  走査駆動回路
１７  信号読出し回路
１８  画像記憶部
１９  内蔵電源
２３  充電用装置
２４  通信部（放射線画像検出器）
２５  インジケータ
２６  入力操作部
２７  制御部（放射線画像検出器）
２９  制御部（コンソール）
３２  表示部
３３  通信部（コンソール）
【図１】
2006208313.tif 000003
【図２】
2006208313.tif 000004
【図３】
2006208313.tif 000005
【図４】
2006208313.tif 000006
【図５】
2006208313.tif 000007
【図６】
2006208313.tif 000008
【図７】
2006208313.tif 000009